(57)【要約】  中空の箱形本体２を有する平行六面体の飲料パッケージ容器に、封止デバイス３を用いて再封止することができる開口が構成される。箱形本体２の隅部が面取りされて、箱形本体２に接続する三角形表面がそこに形成され、その表面から、開口を有する管状部分が外に延びている。封止デバイス３は、箱形本体２の三角形表面上に載せたときに本体２とともに平行六面体のパッケージ容器１を形成するように設計された三角錐形の本体を有し、また管状部分を受け入れるためのキャビティを形成している。封止デバイス３を管状部分に取外し可能に締り嵌め式に拘束するために、協働手段が管状部分上およびキャビティ内に構成される。封止デバイス３は、その１つの側部上に、キャビティ内へと通じる開口を有しており、その開口を封止することができるように、開放可能且つ再封止可能なドア１４が構成され、また管状部分が、内側の、締り嵌め式封止カプセルを有している。
2009530190.tif 000002
【特許請求の範囲】
【請求項１】
液体用の飲料パッケージ容器（１）であって、封止デバイス（３）を用いて再封止することができる開口（５）が構成されており、前記パッケージ容器（１）は本質的にまたは完全に平行六面体であり、且つ中空の箱形本体（２）と前記封止デバイス（３）とを有しており、前記平行六面体の中空の箱形本体（２）の隅部が面取りされており、該隅部には、前記箱形本体（２）に接続する三角形表面（９）が形成されており、前記開口（５）を有する管状部分（４）が前記表面から外側に延びており、前記封止デバイス（３）は、前記箱形本体（２）の前記三角形表面（９）上に載せたときに前記本体（２）とともに前記平行六面体のパッケージ容器（１）を形成するように設計された本質的に三角錐形の本体と、前記管状部分（４）を受け入れるためのキャビティ（６）とを有しており、協働締結手段（１１）が前記管状部分（４）上ならびに前記キャビティ（６）内に構成され、それによって前記箱形本体（２）および前記封止デバイス（３）がともに平行六面体を形成するように前記封止デバイス（３）を前記管状部分（４）に取外し可能に且つ締り嵌め式に拘束する飲料パッケージ容器において、
前記封止デバイス（３）が、その１つの側部上に、前記キャビティ（６）内へ通じる開口（７）を有すること、開放可能且つ再封止可能なドア（１４）が、前記開口（７）を封止することができるように構成されること、および前記管状部分（４）が、内側の、締り嵌め式の封止カプセル（１５）を有すること
を特徴とする飲料パッケージ容器。
【請求項２】
前記締結手段（１１）がスナップ・ロックからなることを特徴とする請求項１に記載の飲料パッケージ容器。
【請求項３】
前記締結手段（１１）が複数のねじ山からなることを特徴とする請求項１に記載の飲料パッケージ容器。
【請求項４】
前記ドア（１４）が開位置にあるときに使用者が前記パッケージ容器（１）から液体を飲むことまたは注ぐことを可能にするように前記開口（７）が構成されていることを特徴とする請求項１から請求項３までのいずれか一項に記載の飲料パッケージ容器。
【請求項５】
前記ドア（１４）が、付加的な、再封止不可能な衛生シールを有することを特徴とする請求項１から請求項４までのいずれか一項に記載の飲料パッケージ容器。
【発明の詳細な説明】
【技術分野】
【０００１】
本発明は、飲料パッケージ容器（ｐａｃｋａｇｅ  ｃｏｎｔａｉｎｅｒ）に関する。
【背景技術】
【０００２】
今日の社会では、例えば炭酸飲料、ジュース、牛乳、乳飲料、そしてビールおよびワインなどといった多くの異なる種類の飲料が、ポーション・パックなどのパッケージ容器から消費される。
【０００３】
今日、ボトルは、飲料のための最も一般的な容器のうちの１つであり、様々なサイズがあり、そしてその特徴的な設計を有している。それはすなわち、そこから飲料を飲むための開口に向かって頂部でテーパになされた円筒形容器であり、開口は、例えばねじ式の栓（ｃｏｒｋ）の使用によって再封止可能であり、あるいは、例えば再封止不可能な蓋を使用する場合など、一度開封されると再封止不可能である。一般的にボトルに使用される材料は、ＰＥＴなどのプラスチック、およびガラスである。
【０００４】
別の一般的なタイプのパッケージ容器は、アルミニウム缶、すなわち、缶を開けるための特徴的な設計を有する積み重ね可能な円筒形パッケージであり、缶の上面から一片のアルミニウムが取り去られ、それによってそこから飲むための穴が作り出される。
【０００５】
さらに別の一般的なタイプのパッケージは、テトラ・パック（登録商標）タイプのパッケージであり、その２つの最も大きい側面のうちの一方の上に、プラスチックで被覆されたストローがのり付けされる。このストローは、消費時にパッケージから取り外され、パッケージの上面上に構成されアルミ箔で覆われた穴を貫通して突き刺される。その後、使用者は、ストローを用いてパッケージから飲むことができる。
【０００６】
スウェーデン国特許第０４００２１７−６号明細書および第０４００２１８−４号明細書は、いずれも立方体であり積み重ね可能な、２つのさらなるタイプのパッケージを開示している。さらに、これらのパッケージは再封止可能である。
【発明の開示】
【発明が解決しようとする課題】
【０００７】
知られているすべてのパッケージタイプは、いくつかの欠点により、十分に機能を果たしていない。
【０００８】
１つの問題は、パッケージが、例えば大型の貨物運送手段内などで長距離にわたって輸送されることが多いことにある。円筒形飲料パッケージ容器タイプの飲料パッケージ容器は、そのような運送手段の積載容積の最適な利用を妨げる。一般的なＰＥＴボトルは通常、ボトル箱の中に置かれ、その後、互いに確実に積み上げられる。これは、ボトルを取り囲む大きい容積すなわち各ボトルそれぞれの上下の大きい容積が、輸送中に利用されないままとなることを意味する。すなわちこの問題は、例として、その他すべてのタイプの円筒形パッケージ容器にも存在する。
【０００９】
多くのパッケージ容器に伴う別の問題は、それらの再封止が不可能であることである。パッケージ容器が、何らかの状況でその内容物を消費するために開かれると、飲料を消費する人は通常、そのパッケージから一度に内容物を空にするか、パッケージが開かれたときと同時に消費することが望まれない残りの飲料を捨てることを強要される。反対に、使用者は通常、少しずつだが度々飲むこと、したがって、後の消費のためにパッケージを再封止できることを望む。この問題に対する１つの解決法は、ねじ式の栓を有するボトル、例えばＰＥＴボトルであるが、上記のように、これらのボトルは、決して有効ではない積載特性を伴う。アルミ缶、カプセル蓋を有するガラス瓶、またはテトラ・パック容器など、そこからの飲むことが意図されるその他の一般的なパッケージは、一般に再封止不可能である。
【００１０】
スウェーデン国特許第０４００２１７−６号明細書および第０４００２１８−４号明細書で開示された立方体タイプのパッケージ容器は、一方では、有効に積載でき再封止可能であるが、他方では、それらは製造時に飲料を完全に充填するのに適していないというさらなる問題を伴う。製造時にそのような完全な充填が可能であることは事実であるが、最終使用者が飲料を消費するためにパッケージを開こうとするとき、開封中に使用者がパッケージシールを真上に向けないと、容器内の飲料の一部がこぼれやすい。第０４００２１７−６号明細書の場合、これは、封止デバイス内に構成された開口が、完全に充填されたときの容器内の液面より下に構成されているからであり、第０４００２１８−４号明細書の場合、これは同じ様に、対応する開口が、開封時に時々、容器内部の液面より下に配置されるからである。第０４００２１８−４号明細書による従来の容器では、箱形の本体と、容易にアクセス可能で、内側にある、衛生的なシールを備えた封止部品とを有するパッケージ容器を供給することも不可能である。そのようなシールは、輸送、保管、およびその他の取扱い中に外部汚染を受けるパッケージ容器を使用する際の使用者の衛生的安全性を高めるので、これを有するパッケージ容器を供給できないことは問題である。
【００１１】
すなわち、その外部ジオメトリに関して有効な積荷であり且つ再封止可能であるだけでなく、収容された飲料の一部を使用者がパッケージ開封時にこぼす危険性を伴わずに、製造時に完全に充填することができ、容易にアクセス可能で内側にある衛生的なシールを備えることができるパッケージ容器を実現することが望ましい。
【課題を解決するための手段】
【００１２】
本発明は、そのようなパッケージ容器を実現するものである。
【００１３】
すなわち、本発明は、液体用の飲料パッケージ容器であって、封止デバイスを用いて再封止することができる開口が構成されており、パッケージ容器は、本質的にまたは完全に平行六面体であり、且つ中空の箱形本体と、封止デバイスとを有しており、この平行六面体の中空の箱形本体の隅部が面取りされており、その隅部にて、箱形本体に連結される三角形表面が形成されており、開口を有する管状部分がその表面から外側に延びており、封止デバイスは、箱形本体の三角形表面上に位置するときに本体とともに平行六面体のパッケージ容器を形成するように設計された本質的に三角錐形の本体と、管状部分を受け入れるためのキャビティとを有しており、管状部分上およびキャビティ内に協働締結手段が構成されており、協働締結手段は、箱形本体および封止デバイスがともに平行六面体を形成するように、封止デバイスを管状部分上に取外し可能に締り嵌め（ｔｉｇｈｔ−ｆｉｔ）で拘束する、液体用の飲料パッケージ容器に関する。
【００１４】
本発明は、封止デバイスが、その１つの側部上に、キャビティ内へと開いている開口を有すること、その開口を封止することができるように、開放可能且つ再封止可能なドアが構成されること、および管状部分が、内側にある、締り嵌め式の封止カプセル（ｃａｐｓｕｌｅ）を有することを特徴とする。
【００１５】
以下では、本発明を、本発明の例示的な実施例に部分的に関連して、添付の図面を参照しながら、より詳細に説明する。
【実施例】
【００１６】
図１は、液体用の飲料パッケージ容器１を示しており、この容器１において、開口５（図２参照）が箱形本体２に構成されており、開口５は、封止デバイス３を用いて再封止可能である。
【００１７】
本発明によれば、パッケージ１は、本質的にまたは完全に平行六面体であり、中空の箱形本体２および封止デバイス３を有している。平行六面体である中空の箱形本体２の１つ隅部が面取りされており、そこに三角形表面９（図２参照）が形成される。三角形表面９は、前記箱形本体２に繋がっている。封止デバイス３は、基本的に三角錐の形の本体を有し、この本体は、箱形本体２の面取りされた隅部の三角形表面９上に封止デバイス３が載ったとき、箱形本体２とともに平行六面体のパッケージ容器１を形成するように設計されている。平行六面体の容器１は、審美的な修正が本発明による輸送効率の改善の実現という目的の達成を不可能にしないという条件で、傾斜した隅部または完全に平坦ではない表面などといった他の審美的な修正を有するように設計することができる。
【００１８】
図２に、パッケージ容器１の断面図が示されており、容器１は、封止デバイス３が協働締結手段１１を用いて箱形本体２上に締結された位置で示されている。協働締結手段１１は、一部が管状部分４上に、一部がキャビティ６の内側に構成されているとともに、封止デバイス３を管状部分４上に拘束するように構成されており、それによって箱形本体２および封止デバイス３が平行六面体のパッケージ１を形成している。
【００１９】
開口５と頂面１２とを有する突出した管状部分４は、三角形表面９上に構成されている。封止デバイス３は、管状部分４を受け入れるように設計されたキャビティ６を有する。キャビティ６は、封止デバイス３を通って、封止デバイス３の外面１３のうちの１つに出て、開口７まで延びている。開口７は、ドア１４を使用することによって、開くこと、および再封止することができる。図１に示す実施例では、ドア１４は、封止デバイス３の側部１３のうちの１つをほとんど覆っている。しかし、ドア１４は、本発明の概念から逸脱することなく、他の方法で設計することができることが理解されるべきである。例えばドア１４は、箱形本体２の反対側を向いた封止デバイス３の隅部まで延び、次いで隅部を越え、開口７が構成されていない表面１３に沿って所定の距離だけ下降することができ、それによってパッケージ１の輸送および保管中の衛生度をさらに高めることができる。
【００２０】
パッケージ容器１の頂面側および底面側、またはパッケージ容器１の側部は、それぞれ図１に規定されている。図１の箱形本体２は、その底面側の上に立っている。対向する側は、パッケージ１の頂面側である。箱形本体２の面取りされた隅部は、本体２の頂部隅部のうちの１つに構成される。すなわち封止デバイス３は、本体２の頂面側に接する本体２の１つの隅部に構成される。封止デバイス３の開口７は、封止デバイス３の頂面側の上に構成される。
【００２１】
管状部分４は、管状部分４を通る以外はいかなる液体または気体も箱形本体２に流入することまたは箱形本体２から流出することができないように、箱形本体２に締り嵌めで締結されるように構成される。
【００２２】
さらに、締結手段１１は、管状部分４にて封止デバイス３を締り嵌め式に拘束するように構成されており、したがって封止デバイス３が箱形本体２上に載っているとき、いかなる液体または気体も、管状部分４と封止デバイス３のキャビティ６の組み合わせによって形成されたチャネル（すなわち箱形本体２の内部から開口７まで延びるチャネル）を通る以外は、箱形本体２に流入することまたは箱形本体２から流出することができない。
【００２３】
一実施例では、締結手段１１は、気密および液密のスナップ・ロックで構成される。好ましくは、スナップ・ロックは、管状部分４の外側に構成されたリッジ８、および封止デバイス３のキャビティ６内で内側に構成された凹部１０で構成される。
【００２４】
別の実施例（図示せず）では、締結手段１１は、気密および液密の協働するねじ山で構成され、管状部分４は雄ねじを備え、封止デバイス３のキャビティ６は雌ねじを備え、それぞれのねじ山は、締り嵌めで係合するように構成される。
【００２５】
管状部分４の頂面１２上に、気密および液密の態様で管状部分４を封止し、したがって箱形本体２も封止する取外し可能な使い捨てのカプセル１５が配置される。すなわち、パッケージ容器１が封止位置（管状部分４上にカプセル１５が留まり箱形部品２上に封止デバイス３が締結されている位置）にあるとき、気体および液体は、箱形本体２の内側に流入することも、そこから流出することもできない。カプセル１５は、封止デバイス３内の開放可能なドア１４を通して除去することができる。カプセル１５が除去されると、液体は、管状部分４の外に流出し、封止デバイス３のキャビティ６内に流入することができる。しかし、管状部分４と封止デバイス３との間に気密および液密の締結手段１１があるため、液体は、パッケージ１が垂直位置に保持される限り、封止デバイス３から出ることができない。また、パッケージ１が垂直に保持されているとき開口７はパッケージ容器１内の液面の当初レベルよりも高い位置に構成されるので、いかなる液体も開口７を通してキャビティ６の外にあふれ出ない。
【００２６】
好ましくは、ドア１４は、封止デバイス３、およびしたがってパッケージ１を気密および液密の態様で再封止することができるように構成されている。しかし、ドア１４が、封止デバイス３を単に液密の態様で封止するように構成されること、またはドア１４が、液密のシールすら提供せず、固体の外部汚染物からの保護のみをもたらすことも大いに可能である。固体の外部汚染物は、封止デバイス３のキャビティ６内に入って下降し、カプセルが除去されている場合には、場合によってはパッケージ容器１の箱形本体２内へとさらに下降するおそれがある。
【００２７】
好ましい一実施例では、ドア１４は、再封止不可能な衛生シール（図示せず）をさらに備える。この場合、パッケージ１を使用するときに、使用者はまず、衛生シールを除去しなければならず、それによってカプセル１５を除去し、その結果上述のように液体を消費することができる。衛生シールは、パッケージ１の輸送および保管中にキャビティ６の内側の衛生度を保証するために、好ましくは気密および液密である。
【００２８】
すなわち使用者は、まず何らかの衛生シールおよびドア１４を除去することにより、パッケージ１を開く。その後、カプセル１５が除去され、収容されている液体が、キャビティ６からある程度流出するが、封止デバイス３からは流出しない。その後、使用者は液体を飲むこと、または開口７から、例えばグラス内に液体を注ぎ出すことができる。使用者が飲み終えまたは注ぎ終えて残りの液体を後に消費するために保存したいと望む場合、使用者は、ドア１４を閉じることにより、封止デバイス３を再封止することができる。
【００２９】
図３は、本発明に従って、パッケージ容器１の製造時にパッケージ容器１を充填するための方法を、概略的に示している。
【００３０】
ステップＡで、パッケージ１は、開口５を通して液体で満たされる。これは、パッケージ１をこぼさずに完全に充填することを可能にするために、封止デバイス３がパッケージ１に取り付けられる前に、開口５が上向きに方向付けられた位置にパッケージ１がある状態で達成される。
【００３１】
ステップＢで、封止デバイス３が、締結手段１１を用いてパッケージ容器１に取り付けられる。これは、パッケージ１が依然上記の位置すなわち姿勢にあり、開口５が上向きに方向付けられている間に達成される。このステップではまた、カプセル１５が、管状部分４に取り付けられる。さらにこのステップは、衛生シールが使用される場合、そのようなシールがドア１４上に取り付けられることによって終了する。
【００３２】
パッケージ容器１が、完全に充填され、パッケージ１が、気密および液密の態様で封止された後に、パッケージ１は、ステップＣで、垂直位置となるように向きを変えられる。これにより、パッケージ容器１の製造時の充填方法が終了する。
【００３３】
本明細書に記載した実施例は、本発明の限定ではなく例示と見なされるべきである。すなわち本発明は、添付の特許請求の範囲内で変更することができる。
【図面の簡単な説明】
【００３４】
【図１】封止デバイスが箱形本体に載った状態の、本発明の好ましい実施例によるパッケージ容器を示す概略図である。
【図２】本発明によるパッケージ容器の好ましい実施例を示す断面図である。
【図３】本発明によるパッケージ容器の製造時の充填方法を示す概略図である。
【図１】
2009530190.tif 000003
【図２】
2009530190.tif 000004
【図３Ａ】
2009530190.tif 000005
【図３Ｂ】
2009530190.tif 000006
【図３Ｃ】
2009530190.tif 000007
【国際調査報告】
2009530190.tif 000008
2009530190.tif 000009
2009530190.tif 000010
2009530190.tif 000011
2009530190.tif 000012